(57)【要約】【課題】通信システムにおいて、電力制御対象となる信号の受信側の通信装置が、送信側の通信装置へ送信する信号に、送信電力の要求を通知するための領域を含める必要無しに、所望の通信品質を得つつ、消費電力を抑制できるようにする。【解決手段】通信装置が、信号送信電力の大きさについての要求の種類毎に予め定められたスクランブルパタンを記憶するスクランブルパタン記憶部と、前記スクランブルパタン記憶部が記憶するスクランブルパタンのいずれかを、受信信号の受信品質に基づいて選択するスクランブルパタン選択部と、前記スクランブルパタン選択部が選択したスクランブルパタンを用いて送信信号に対するスクランブル処理を行うスクランブル部と、を具備する。【選択図】図１
2015080014.tif 000002
【特許請求の範囲】
【請求項１】
信号送信電力の大きさについての要求の種類毎に予め定められたスクランブルパタンを記憶するスクランブルパタン記憶部と、
前記スクランブルパタン記憶部が記憶するスクランブルパタンのいずれかを、受信信号の受信品質に基づいて選択するスクランブルパタン選択部と、
前記スクランブルパタン選択部が選択したスクランブルパタンを用いて送信信号に対するスクランブル処理を行うスクランブル部と、
を具備する通信装置。
【請求項２】
信号送信電力の大きさについての要求の種類毎に予め定められたスクランブルパタンを記憶するスクランブルパタン記憶部と、
前記スクランブルパタン記憶部が記憶するスクランブルパタンを用いて受信信号に対するデスクランブル処理を行って、当該信号のスクランブル処理に用いられたスクランブルパタンを検出するデスクランブル部と、
前記デスクランブル部が検出したスクランブルパタンに対応付けられた、前記信号送信電力の大きさについての要求の種類に基づいて、信号送信電力を設定する送信電力設定部と、
を具備する通信装置。
【請求項３】
前記デスクランブル部は、前記デスクランブル処理にて得られたデータに対してパリティチェックを行って、前記信号のスクランブル処理に用いられたスクランブルパタンを検出する、請求項２に記載の通信装置。
【請求項４】
第１通信装置と第２通信装置とを具備し、
前記第１通信装置は、
信号送信電力の大きさについての要求の種類毎に予め定められたスクランブルパタンを記憶する第１スクランブルパタン記憶部と、
前記第１スクランブルパタン記憶部が記憶するスクランブルパタンのいずれかを、前記第２通信装置からの受信信号の受信品質に基づいて選択するスクランブルパタン選択部と、
前記スクランブルパタン選択部が選択したスクランブルパタンを用いて前記第２通信装置への送信信号に対するスクランブル処理を行うスクランブル部と、
を具備し、
前記第２通信装置は、
前記第１スクランブルパタン記憶部と同じスクランブルパタンを記憶する第２スクランブルパタン記憶部と、
前記第２スクランブルパタン記憶部が記憶するスクランブルパタンを用いて前記第１通信装置からの受信信号に対するデスクランブル処理を行って、前記第１通信装置が当該信号のスクランブル処理に用いたスクランブルパタンを検出するデスクランブル部と、
前記デスクランブル部が検出したスクランブルパタンに対応付けられた、前記信号送信電力の大きさについての要求の種類に基づいて、前記第１通信装置への送信信号の信号送信電力を設定する送信電力設定部と、
を具備する通信システム。
【請求項５】
信号送信電力の大きさについての要求の種類毎に予め定められたスクランブルパタンのいずれかを、受信信号の受信品質に基づいて選択するスクランブルパタン選択部、を具備するスクランブルパタン選択装置。
【請求項６】
信号送信電力の大きさについての要求の種類毎に予め定められたスクランブルパタンを用いて受信信号に対するデスクランブル処理を行って、当該信号のスクランブル処理に用いられたスクランブルパタンを検出するデスクランブル部と、
前記デスクランブル部が検出したスクランブルパタンに対応付けられた、前記信号送信電力の大きさについての要求の種類に基づいて、信号送信電力を設定する送信電力設定部と、
を具備する送信電力設定装置。
【請求項７】
信号送信電力の大きさについての要求の種類毎に予め定められたスクランブルパタンを記憶するスクランブルパタン記憶部を具備する通信装置が、前記スクランブルパタン記憶部が記憶するスクランブルパタンのいずれかを、受信信号の受信品質に基づいて選択するスクランブルパタン選択ステップと、
前記スクランブルパタン選択ステップにて選択したスクランブルパタンを用いて送信信号に対するスクランブル処理を行うスクランブルステップと、
を具備する通信方法。
【請求項８】
信号送信電力の大きさについての要求の種類毎に予め定められたスクランブルパタンを記憶するスクランブルパタン記憶部を具備する通信装置が、前記スクランブルパタン記憶部が記憶するスクランブルパタンを用いて受信信号に対するデスクランブル処理を行って、当該信号のスクランブル処理に用いられたスクランブルパタンを検出するデスクランブルステップと、
前記デスクランブルステップにて検出したスクランブルパタンに対応付けられた、前記信号送信電力の大きさについての要求の種類に基づいて、信号送信電力を設定する送信電力設定ステップと、
を具備する通信方法。
【請求項９】
信号送信電力の大きさについての要求の種類毎に予め定められたスクランブルパタンを記憶するスクランブルパタン記憶部を具備する通信装置を制御するコンピュータに、
前記スクランブルパタン記憶部が記憶するスクランブルパタンのいずれかを、受信信号の受信品質に基づいて選択するスクランブルパタン選択ステップと、
前記スクランブルパタン選択ステップにて選択したスクランブルパタンを用いて送信信号に対するスクランブル処理を行うスクランブルステップと、
を実行させるためのプログラム。
【請求項１０】
信号送信電力の大きさについての要求の種類毎に予め定められたスクランブルパタンを記憶するスクランブルパタン記憶部を具備する通信装置を制御するコンピュータに、
前記スクランブルパタン記憶部が記憶するスクランブルパタンを用いて受信信号に対するデスクランブル処理を行って、当該信号のスクランブル処理に用いられたスクランブルパタンを検出するデスクランブルステップと、
前記デスクランブルステップにて検出したスクランブルパタンに対応付けられた、前記信号送信電力の大きさについての要求の種類に基づいて、信号送信電力を設定する送信電力設定ステップと、
を実行させるためのプログラム。
【発明の詳細な説明】
【技術分野】
【０００１】
本発明は、通信装置、通信システム、スクランブルパタン選択装置、送信電力設定装置、通信方法およびプログラムに関する。
【背景技術】
【０００２】
無線通信等の通信において、所望の通信品質を得つつ消費電力を抑制するための技術として送信電力制御（Transmit Power Control；ＴＣＰ、または、Automatic Transmit Power Control；ＡＴＰＣ）が知られている。
送信電力制御では、電力制御対象となる信号の受信側の通信装置が、送信側の通信装置に対して、送信電力の要求の通知を送信する。
例えば、特許文献１には、基地局が、２ビット（ｂｉｔ）の送信電力制御シグナルが含まれるダウンリンク制御情報フォーマットに従ってダウンリンク制御情報を生成することが記載されている。
【先行技術文献】
【特許文献】
【０００３】
【特許文献１】特表２０１３−５０５６４９号公報
【発明の概要】
【発明が解決しようとする課題】
【０００４】
電力制御対象となる信号の受信側の通信装置が、送信電力の要求を通知するための領域を、受信側の通信装置自らが送信側の通信装置へ送信する信号に含めることで、有限な資源である通信帯域を消費してしまう。例えば、特許文献１に記載の基地局は、ダウンリンク制御情報のうち２ビット分を、送信電力制御シグナルに消費してしまう。
受信側の通信装置自らの送信信号が固定フレーム長の場合、かかる消費により、フレームに含めることのできる他の情報の量が減少してしまう。また、可変フレーム長の場合、送信電力の要求を通知するための領域分だけフレーム長が長くなることで、フレームの送信に要する時間が長くなってしまう。
【０００５】
本発明は、上述の課題を解決することのできる通信装置、通信システム、スクランブルパタン選択装置、送信電力設定装置、通信方法およびプログラムを提供することを目的としている。
【課題を解決するための手段】
【０００６】
この発明は上述した課題を解決するためになされたもので、本発明の第１の態様による通信装置は、信号送信電力の大きさについての要求の種類毎に予め定められたスクランブルパタンを記憶するスクランブルパタン記憶部と、前記スクランブルパタン記憶部が記憶するスクランブルパタンのいずれかを、受信信号の受信品質に基づいて選択するスクランブルパタン選択部と、前記スクランブルパタン選択部が選択したスクランブルパタンを用いて送信信号に対するスクランブル処理を行うスクランブル部と、を具備する。
【０００７】
また、本発明の第２の態様による通信装置は、信号送信電力の大きさについての要求の種類毎に予め定められたスクランブルパタンを記憶するスクランブルパタン記憶部と、前記スクランブルパタン記憶部が記憶するスクランブルパタンを用いて受信信号に対するデスクランブル処理を行って、当該信号のスクランブル処理に用いられたスクランブルパタンを検出するデスクランブル部と、前記デスクランブル部が検出したスクランブルパタンに対応付けられた、前記信号送信電力の大きさについての要求の種類に基づいて、信号送信電力を設定する送信電力設定部と、を具備する。
【０００８】
また、本発明の第３の態様による通信システムは、第１通信装置と第２通信装置とを具備し、前記第１通信装置は、信号送信電力の大きさについての要求の種類毎に予め定められたスクランブルパタンを記憶する第１スクランブルパタン記憶部と、前記第１スクランブルパタン記憶部が記憶するスクランブルパタンのいずれかを、前記第２通信装置からの受信信号の受信品質に基づいて選択するスクランブルパタン選択部と、前記スクランブルパタン選択部が選択したスクランブルパタンを用いて前記第２通信装置への送信信号に対するスクランブル処理を行うスクランブル部と、を具備し、前記第２通信装置は、前記第１スクランブルパタン記憶部と同じスクランブルパタンを記憶する第２スクランブルパタン記憶部と、前記第２スクランブルパタン記憶部が記憶するスクランブルパタンを用いて前記第１通信装置からの受信信号に対するデスクランブル処理を行って、前記第１通信装置が当該信号のスクランブル処理に用いたスクランブルパタンを検出するデスクランブル部と、前記デスクランブル部が検出したスクランブルパタンに対応付けられた、前記信号送信電力の大きさについての要求の種類に基づいて、前記第１通信装置への送信信号の信号送信電力を設定する送信電力設定部と、を具備する。
【０００９】
また、本発明の第４の態様によるスクランブルパタン選択装置は、信号送信電力の大きさについての要求の種類毎に予め定められたスクランブルパタンのいずれかを、受信信号の受信品質に基づいて選択するスクランブルパタン選択部、を具備する。
【００１０】
また、本発明の第５の態様による送信電力設定装置は、信号送信電力の大きさについての要求の種類毎に予め定められたスクランブルパタンを用いて受信信号に対するデスクランブル処理を行って、当該信号のスクランブル処理に用いられたスクランブルパタンを検出するデスクランブル部と、前記デスクランブル部が検出したスクランブルパタンに対応付けられた、前記信号送信電力の大きさについての要求の種類に基づいて、信号送信電力を設定する送信電力設定部と、を具備する。
【００１１】
また、本発明の第６の態様による通信方法は、信号送信電力の大きさについての要求の種類毎に予め定められたスクランブルパタンを記憶するスクランブルパタン記憶部を具備する通信装置が、前記スクランブルパタン記憶部が記憶するスクランブルパタンのいずれかを、受信信号の受信品質に基づいて選択するスクランブルパタン選択ステップと、前記スクランブルパタン選択ステップにて選択したスクランブルパタンを用いて送信信号に対するスクランブル処理を行うスクランブルステップと、を具備する。
【００１２】
また、本発明の第７の態様による通信方法は、信号送信電力の大きさについての要求の種類毎に予め定められたスクランブルパタンを記憶するスクランブルパタン記憶部を具備する通信装置が、前記スクランブルパタン記憶部が記憶するスクランブルパタンを用いて受信信号に対するデスクランブル処理を行って、当該信号のスクランブル処理に用いられたスクランブルパタンを検出するデスクランブルステップと、前記デスクランブルステップにて検出したスクランブルパタンに対応付けられた、前記信号送信電力の大きさについての要求の種類に基づいて、信号送信電力を設定する送信電力設定ステップと、を具備する。
【００１３】
また、本発明の第８の態様によるプログラムは、信号送信電力の大きさについての要求の種類毎に予め定められたスクランブルパタンを記憶するスクランブルパタン記憶部を具備する通信装置を制御するコンピュータに、前記スクランブルパタン記憶部が記憶するスクランブルパタンのいずれかを、受信信号の受信品質に基づいて選択するスクランブルパタン選択ステップと、前記スクランブルパタン選択ステップにて選択したスクランブルパタンを用いて送信信号に対するスクランブル処理を行うスクランブルステップと、を実行させるためのプログラムである。
【００１４】
また、本発明の第９の態様によるプログラムは、信号送信電力の大きさについての要求の種類毎に予め定められたスクランブルパタンを記憶するスクランブルパタン記憶部を具備する通信装置を制御するコンピュータに、前記スクランブルパタン記憶部が記憶するスクランブルパタンを用いて受信信号に対するデスクランブル処理を行って、当該信号のスクランブル処理に用いられたスクランブルパタンを検出するデスクランブルステップと、前記デスクランブルステップにて検出したスクランブルパタンに対応付けられた、前記信号送信電力の大きさについての要求の種類に基づいて、信号送信電力を設定する送信電力設定ステップと、を実行させるためのプログラムである。
【発明の効果】
【００１５】
本発明によれば、通信システムにおいて、電力制御対象となる信号の受信側の通信装置が、送信側の通信装置へ送信する信号に、送信電力の要求を通知するための領域を含める必要無しに、所望の通信品質を得つつ、消費電力を抑制することができる。
【図面の簡単な説明】
【００１６】
【図１】本発明の一実施形態における通信システムの機能構成を示す概略ブロック図である。
【図２】同実施形態における通信装置１００が通信装置２００へ送信する送信フレームのデータ構造の例を示す説明図である。
【図３】同実施形態において、通信装置１００が、通信装置２００への信号の送信を行う処理手順の例を示す説明図である。
【図４】同実施形態において、通信装置２００が、通信装置１００へ信号を送信するための送信電力を設定する処理手順の例を示す説明図である。
【図５】本発明の最小構成にて、送信電力制御の対象となる通信信号の受信側の通信装置における機能構成を示す概略ブロック図である。
【図６】本発明の最小構成にて、送信電力制御の対象となる通信信号の送信側の通信装置における機能構成を示す概略ブロック図である。
【図７】本発明の最小構成の通信システムにおける機能構成を示す概略ブロック図である。
【図８】本発明の最小構成のスクランブルパタン選択装置における機能構成を示す概略ブロック図である。
【図９】本発明の最小構成の送信電力設定装置における機能構成を示す概略ブロック図である。
【発明を実施するための形態】
【００１７】
以下、本発明の実施形態を説明するが、以下の実施形態は請求の範囲にかかる発明を限定するものではない。また、実施形態の中で説明されている特徴の組み合わせの全てが発明の解決手段に必須であるとは限らない。
図１は、本発明の一実施形態における通信システムの機能構成を示す概略ブロック図である。同図において、通信システム１は、通信装置１００および２００を具備する。通信装置１００は、判定側屋内装置１１０と、判定側屋外装置１９０とを具備する。通信装置２００は、制御側屋内装置２１０と、制御側屋外装置２９０とを具備する。判定側屋内装置１１０は、スクランブルパタン記憶部１１１と、スクランブルパタン選択部１１２と、無線フレーム生成部１２１と、スクランブル部１２２と、変調部１２３と、復調部１５１と、デスクランブル部１５２と、無線フレーム抽出部１５３とを具備する。制御側屋内装置２１０は、スクランブルパタン記憶部２１１と、復調部２２１と、デスクランブル部２２２と、無線フレーム抽出部２２３と、送信電力設定部２３１と、無線フレーム生成部２５１と、スクランブル部２５２と、変調部２５３とを具備する。
【００１８】
通信システム１において、通信装置１００と通信装置２００とは無線にて通信を行う。通信装置１００から通信装置２００への通信信号は送信電力制御の対象となる。ここでいう送信電力制御とは、信号の受信状況に応じて当該信号の送信電力を制御することである。
通信装置１００は、第１通信装置の一例に該当し、通信装置２００は、第２通信装置の一例に該当する。
【００１９】
なお、通信装置１００と通信装置２００との通信は無線通信に限らず、送信電力を制御可能な様々な通信とすることができる。また、通信システム１が、通信装置２００から通信装置１００への通信信号に対しても、通信装置１００から通信装置２００への通信信号と同様に、送信電力の制御を行うようにしてもよい。
【００２０】
判定側屋内装置１１０は、通信装置１００が設置されている無線基地局の建屋内に設置されている。
スクランブルパタン記憶部１１１は、記憶デバイスを含んで構成され、信号送信電力の大きさについての要求の種類毎に予め定められたスクランブルパタンを記憶している。例えば、通信装置１００が通信装置２００に通知する要求には、送信電力増大、送信電力低減、送信電力維持の３種類があり、スクランブルパタン記憶部１１１は、これら３種類の各々に対応付けて１つずつスクランブルパタンを記憶している。
スクランブルパタン記憶部１１１は、第１スクランブルパタン記憶部の一例に該当する。
なお、以下では、信号送信電力の大きさについての要求を示す情報を「ＡＴＰＣ情報」と称する。
【００２１】
スクランブルパタン選択部１１２は、スクランブルパタン記憶部１１１が記憶するスクランブルパタンのいずれかを、通信装置２００からの信号の受信品質（例えば、受信信号強度またはＳ／Ｎ比（Signal To Noise Ratio）など）に基づいて選択する。例えば、通信装置２００からの信号の受信強度が弱い（所定の下限閾値未満である）と判定した場合、スクランブルパタン選択部１１２は、送信電力増大に対応付けられているスクランブルパタンを選択する。一方、通信装置２００からの信号の受信強度が充分強い（所定の上限閾値より大きい）と判定した場合、スクランブルパタン選択部１１２は、送信電力低減に対応付けられているスクランブルパタンを選択する。また、通信装置２００からの信号の受信強度が適切である（上限閾値と下限閾値との範囲内にある）と判定した場合、スクランブルパタン選択部１１２は、送信電力維持に対応付けられているスクランブルパタンを選択する。
【００２２】
無線フレーム生成部１２１は、通信装置１００が通信装置２００へ送信する主信号を通信装置１００の外部から受信し、受信した主信号をペイロード領域に格納した無線フレームを生成する。ここでいう主信号とは、通信の目的となる信号である。
【００２３】
スクランブル部１２２は、スクランブルパタン選択部１１２が選択したスクランブルパタンを用いて、通信装置２００への送信信号に対するスクランブル処理を行う。具体的には、スクランブル部１２２は、無線フレーム生成部１２１が生成した無線フレームの一部に対して、スクランブルパタン選択部１１２が選択したスクランブルパタンを用いたスクランブル処理を行う。
【００２４】
図２は、通信装置１００が通信装置２００へ送信する送信フレームのデータ構造の例を示す説明図である。同図に示す送信フレームは、無線フレーム同期パターンの領域と、変調方式情報の領域と、ペイロード領域と、ＦＥＣ（Foreword Error Correction、前方誤り訂正）冗長ビットの領域とを含んで構成されている。ペイロード領域には、対向転送用変調方式の領域と、Ｎ個（Ｎは正整数）のパリティ演算単位の領域とが含まれている。
これらの領域のうちペイロード領域が、スクランブル部１２２の行うスクランブル処理の対象となる。
【００２５】
無線フレーム同期パターンの領域は、無線フレーム同期に必要な情報を格納する。通信装置２００（当該無線フレームを受信した通信装置）が復調後すぐに同期確立を行う必要があるため、無線フレーム同期パターンの領域は、スクランブル処理の対象外となっている。
変調方式情報の領域は、適応変調（Adaptive Modulation Radio；ＡＭＲ）において、通信装置１００（当該フレームを送信する通信機器）が次のフレームに適用する変調方式の情報を格納する。通信装置２００がフレーム同期を確立した後すぐに次のフレームの復調に用いる必要があるため、変調方式情報の領域は、スクランブル処理の対象外となっている。
【００２６】
対向転送用変調方式の領域は、適応変調において、通信装置２００（対向局）から通信装置１００（自局）への無線通信に適用する変調方式の情報を、通信装置２００に通知するための領域である。
パリティ演算単位各の領域は、パリティ演算を実行する単位を示す領域であり、例えば、主信号のデータを所定長毎に分割した１つ分とパリティビット１ビットとで構成される。
ＦＥＣ冗長ビットの領域は、誤り訂正用の冗長領域である。スクランブル処理後のフレームに対して誤り訂正用の冗長ビットが付されるため、ＦＥＣ冗長ビットの領域は、スクランブル処理の対象外となっている。
【００２７】
図２に示すフレームでは、特に、ＡＴＰＣ情報がフレームに含まれていない。
なお、通信装置１００と通信装置２００との通信は、適応変調による通信に限らない。通信装置１００が通信装置２００へ信号を送信する通信が適応変調でない場合、送信フレームに変調方式情報の領域や、対向転送用変調方式情報の領域が含まれていなくてもよい。
【００２８】
図１に戻って、変調部１２３は、スクランブル部１２２がスクランブル処理を行ったフレーム信号に対して、ＦＥＣ冗長ビットの付加（誤り訂正符号化）、変調、デジタル−アナログ変換および中間周波数への周波数変換を行う。
具体的には、変調部１２３は、スクランブル処理されたフレーム信号に基づいてＦＥＣ冗長ビットを算出し、フレーム信号に付加する。
そして、変調部１２３は、ＦＥＣ冗長ビットの付されたフレーム信号を、ＱＰＳＫ（Quadrature Phase Shift Keying、４相位相変調）やＱＡＭ（Quadrature Amplitude Modulation、直交振幅変調）など、適応変調で設定されている変調方式にて変調する。
【００２９】
さらに、変調部１２３は、変調されたフレーム信号をデジタル信号からアナログ信号に変換する。そして、変調部１２３は、得られたアナログ信号を中間周波数（Intermediate Frequency；ＩＦ）の信号へと周波数変換する。
変調部１２３は、得られた中間周波数の信号を、ＩＦケーブルを介して判定側屋外装置１９０へ出力する。
【００３０】
復調部１５１は、判定側屋外装置１９０が受信して中間周波数にて出力する、通信装置２００からの信号に対して、ベースバンド（Baseband）への周波数変換、アナログ−デジタル変換、復調および誤り訂正（誤り訂正復号）を行う。特に、復調部１５１は、変調部２５３が送信時にフレーム信号に適用した変調方式について既知であり、当該変調方式にて復調を行う。
デスクランブル部１５２は、復調部１５１が復調した信号に対してデスクランブル処理を行う。
無線フレーム抽出部１５３は、デスクランブル部１５２がデスクランブル処理を行った信号から無線フレームを抽出し、通信装置１００の外部の機器へ送信する。
【００３１】
判定側屋外装置１９０は、アンテナを含んで構成され、変調部１２３から出力された中間周波数の信号に対して、送信周波数の高調波（Radio Frequency；ＲＦ）への周波数変換、および、電力増幅を行い、アンテナより送信する。
また、判定側屋外装置１９０は、通信装置２００が送信した信号をアンテナにて受信し、中間周波数への周波数変換を行い、得られた信号を、ＩＦケーブルを介して復調部１５１へ出力する。加えて、判定側屋外装置１９０は、通信装置２００からの信号の受信品質を検出し、得られた受信品質を示す情報をスクランブルパタン選択部１１２へ出力する。
【００３２】
制御側屋内装置２１０は、通信装置２００が設置されている無線基地局の建屋内に設置されている。
スクランブルパタン記憶部２１１は、記憶デバイスを含んで構成され、ＡＴＰＣ情報の種類毎に予め定められたスクランブルパタンとして、スクランブルパタン記憶部１１１と同じスクランブルパタンを記憶している。スクランブルパタン記憶部２１１は、第２スクランブルパタン記憶部の一例に該当する。
【００３３】
復調部２２１は、制御側屋外装置２９０が受信して中間周波数にて出力する、通信装置１００からの信号に対して、ベースバンドへの周波数変換、アナログ−デジタル変換、復調および誤り訂正を行う。特に、復調部２２１は、変調部１２３が送信時にフレーム信号に適用した変調方式について既知であり、当該変調方式にて復調を行う。
【００３４】
デスクランブル部２２２は、復調部２２１が復調した通信装置１００からの受信信号に対してデスクランブル処理を行う。その際、デスクランブル部２２２は、スクランブルパタン記憶部２１１が記憶しているスクランブルパタンを用いて受信信号に対するデスクランブル処理を行うことで、当該信号のスクランブル処理に用いられたスクランブルパタンを検出する。より具体的には、デスクランブル部２２２は、デスクランブル処理にて得られたデータに対してパリティチェックを行って、デスクランブルに成功したか否かを判定する。そして、デスクランブル部２２２は、スクランブルパタン記憶部２１１が記憶しているスクランブルパタンのうち、デスクランブルに成功したと判定したスクランブルパタンを、通信装置１００が信号のスクランブル処理に用いたスクランブルパタンとして検出する。
【００３５】
無線フレーム抽出部２２３は、デスクランブル部２２２がデスクランブル処理を行った信号から無線フレームを抽出し、通信装置２００の外部の機器へ送信する。
送信電力設定部２３１は、デスクランブル部２２２が検出したスクランブルパタンに対応付けられた、ＡＴＰＣ情報の種類に基づいて、通信装置１００への送信信号の信号送信電力を設定する。例えば、ＡＴＰＣ情報が送信電力増大を示す場合、送信電力設定部２３１は、送信電力設定値を現在値よりも所定の電力だけ大きい値に変更する。一方、ＡＴＰＣ情報が送信電力低減を示す場合、送信電力設定部２３１は、送信電力設定値を現在値よりも所定の電力だけ小さい値に変更する。ＡＴＰＣ情報が送信電力維持を示す場合、送信電力設定部２３１は、送信電力設定値を現在値のままとする。
【００３６】
無線フレーム生成部２５１は、通信装置２００が通信装置１００へ送信する主信号を通信装置２００の外部から受信し、受信した主信号をペイロード領域に格納した無線フレームを生成する。
スクランブル部２５２は、通信装置１００への送信信号に対するスクランブル処理を行う。
変調部２５３は、スクランブル部２５２がスクランブル処理を行ったフレーム信号に対して、ＦＥＣ冗長ビットの付加、適応変調で設定されている変調方式での変調、デジタル−アナログ変換および中間周波数への周波数変換を行う。
変調部２５３は、得られた中間周波数の信号を、ＩＦケーブルを介して判定側屋外装置２９０へ出力する。
【００３７】
制御側屋外装置２９０は、アンテナを含んで構成され、変調部２５３から出力された中間周波数の信号に対して、送信周波数の高調波への周波数変換、および、設定されている送信電力への電力増幅を行い、アンテナより送信する。また、制御側屋外装置２９０は、送信電力設定部２３１の要求に応じて、送信電力設定値の現在値を送信電力設定部２３１へ出力する。そして、制御側屋外装置２９０は、送信電力設定値を送信電力設定部２３１から指示される値に更新する。
また、制御側屋外装置２９０は、通信装置１００が送信した信号をアンテナにて受信し、中間周波数への周波数変換を行い、得られた信号を、ＩＦケーブルを介して復調部２２１へ出力する。
【００３８】
なお、通信装置２００から通信装置１００への通信方式は、通信装置１００から通信装置２００への通信方式と同じであってもよいし異なっていてもよい。通信装置２００が通信装置１００へ送信する通信フレームのデータ構造も、図２を参照して説明したデータ構造と同じであってもよいし異なっていてもよい。
【００３９】
次に、図３を参照して、通信装置１００の動作について説明する。
図３は、通信装置１００が、通信装置２００への信号の送信を行う処理手順の例を示す説明図である。同図の処理において、スクランブルパタン選択部１１２は、スクランブルパタン記憶部１１１が記憶するスクランブルパタンのいずれかを、通信装置２００からの信号の受信品質に基づいて選択する（ステップＳ１０１）。
【００４０】
例えば上述したように、スクランブルパタン選択部１１２は、受信信号強度と所定の上限閾値および下限閾値とを比較し、比較結果に応じて、送信電力増大に対応付けられているスクランブルパタン、送信電力低減に対応付けられているスクランブルパタン、送信電力維持に対応付けられているスクランブルパタンのいずれかを選択する。
【００４１】
また、無線フレーム生成部１２１は、通信装置１００が通信装置２００へ送信する主信号を通信装置１００の外部から受信し、受信した主信号をペイロード領域に格納した無線フレームを生成する（ステップＳ１０２）。
次に、スクランブル部１２２が、スクランブルパタン選択部１１２が選択したスクランブルパタンを用いて、無線フレーム生成部１２１が生成した無線フレームに対するスクランブル処理を行う（ステップＳ１０３）。
【００４２】
そして、変調部１２３が、スクランブル部１２２がスクランブル処理を行った無線フレーム信号を変調する（ステップＳ１０４）。
そして、判定側屋外装置１９０が、変調部１２３の変調した信号に対してデジタル―アナログ変換や周波数変換等を行い、通信装置２００へ送信する（ステップＳ１０５）。
その後、図３の処理を終了する。
【００４３】
次に図４を参照して、通信装置２００の動作について説明する。
図４は、通信装置２００が、通信装置１００へ信号を送信するための送信電力を設定する処理手順の例を示す説明図である。同図の処理において、制御側屋外装置２９０は、通信装置１００が送信した信号をアンテナにて受信し、周波数変換やアナログ−デジタル変換等を行い、得られた信号を復調部２２１へ出力する（ステップＳ２０１）。
【００４４】
次に、復調部２２１は、復調部２２１は、制御側屋外装置２９０が受信した通信装置１００からの信号を、適応変調で設定されている変調方式にて復調する（ステップＳ２０２）。
そして、デスクランブル部２２２は、復調部２２１が復調した通信装置１００からの受信信号に対してデスクランブル処理を行う（ステップＳ２０３）。その際、上述したように、デスクランブル部２２２は、スクランブルパタン記憶部２１１が記憶しているスクランブルパタンを用いて受信信号に対するデスクランブル処理を行うことで、当該信号のスクランブル処理に用いられたスクランブルパタンを検出する。
【００４５】
そして、無線フレーム抽出部２２３は、デスクランブル部２２２がデスクランブル処理を行った信号から無線フレームを抽出し、通信装置２００の外部の機器へ送信する（ステップＳ２０４）。
また、上述したように、送信電力設定部２３１は、デスクランブル部２２２が検出したスクランブルパタンに対応付けられた、ＡＴＰＣ情報の種類に基づいて、通信装置１００への送信信号の信号送信電力を設定する（ステップＳ２０５）。
ステップＳ２０５の後、図４の処理を終了する。
【００４６】
以上のように、通信装置１００においてスクランブルパタン記憶部１１１は、信号送信電力の大きさについての要求の種類毎に予め定められたスクランブルパタンを、予め記憶している。そして、スクランブルパタン選択部１１２は、スクランブルパタン記憶部１１１が記憶しているスクランブルパタンのいずれかを、通信装置２００からの受信信号の受信品質に基づいて選択する。そして、スクランブル部１２２は、スクランブルパタン選択部１１２が選択したスクランブルパタンを用いて通信装置２００への送信信号に対するスクランブル処理を行う。
【００４７】
また、通信装置２００において、スクランブルパタン記憶部２１１は、スクランブルパタン記憶部１１１と同じスクランブルパタンを、予め記憶している。そして、デスクランブル部２２２は、スクランブルパタン記憶部２１１が記憶しているスクランブルパタンを用いて通信装置１００からの受信信号に対するデスクランブル処理を行って、通信装置１００が当該信号のスクランブル処理に用いたスクランブルパタンを検出する。そして、送信電力設定部２３１は、デスクランブル部２２２が検出したスクランブルパタンに対応付けられた、信号送信電力の大きさについての要求の種類に基づいて、通信装置１００への送信信号の信号送信電力を設定する。
【００４８】
これにより、通信装置１００は、スクランブルパタンの選択にて、通信装置２００に対してＡＴＰＣ情報を通知することができる。従って、通信装置１００（電力制御対象となる信号の受信側の通信装置）は、通信装置２００（送信側の通信装置）へ送信する信号に、送信電力の要求を通知するための領域を含める必要がない。そして、送信電力制御により、通信装置１００において所望の通信品質を得つつ、通信装置２００において送信電力を制御して消費電力を抑制することができる。
【００４９】
特に、通信システム１において、通信装置１００が、規定の周波数帯からのはみ出しを回避する等の目的でスクランブル処理を行う場合、ＡＴＰＣ情報の通知のためにさらにスクランブル処理を行う必要がない。この点において、通信装置１００は、スクランブルパタンを選択するという簡単な処理でＡＴＰＣ情報の通知を行うことができ、負荷の増大を抑制することができる。
【００５０】
また、通信装置２００においてデスクランブル部２２２は、デスクランブル処理にて得られたデータに対してパリティチェックを行って、通信装置１００が信号のスクランブル処理に用いたスクランブルパタンを検出する。
これにより、通信装置２００は、パリティチェックを行うという簡単な処理で通信装置１００からのＡＴＰＣ情報を得ることができる。この点において、通信装置２００の負荷の増大を抑制することができる。
【００５１】
特に、通信システム１において、通信装置１００から通信装置２００への通信方式が誤り訂正符号を用いる通信方式である場合、通信装置１００は、ＡＴＰＣ情報の通知のために（通信装置２００がＡＴＰＣ情報を判定するために）、フレーム信号にさらにビットを加える必要がない。この点において通信装置１００の負荷の増大を抑制することができ、また、通信帯域の消費を抑制することができる。
【００５２】
なお、通信システム１は、様々な通信システムとすることができる。例えば、通信システム１は、携帯電話のバックホール回線を構築する通信システムであってもよい。あるいは、通信システム１は、携帯電話基地局装置と携帯電話端末装置との組み合わせであってもよい。通信装置１００が携帯電話基地局装置である場合、携帯電話端末装置毎、かつ、ＡＴＰＣ情報の種類毎に、スクランブルパタンを記憶しておくことで、各携帯電話端末装置が送信電力制御を行うことができる。
【００５３】
次に、図５〜図９を参照して、本発明の最小構成について説明する。
図５は、送信電力制御の対象となる通信信号の受信側の通信装置における機能構成を示す概略ブロック図である。同図において、通信装置１０は、スクランブルパタン記憶部１１１と、スクランブルパタン選択部１１２と、スクランブル部１２２とを具備する。同図において図１の各部に対応して同様の機能を有する部分には、同一の符号（１１１、１１２、１２２）を付している。
【００５４】
かかる構成にて、スクランブルパタン記憶部１１１は、信号送信電力の大きさについての要求の種類毎に予め定められたスクランブルパタンを記憶する。そして、スクランブルパタン選択部１１２は、スクランブルパタン記憶部１１１が記憶するスクランブルパタンのいずれかを、送信電力制御の対象である受信信号の受信品質に基づいて選択する。そして、スクランブル部１２２は、スクランブルパタン選択部１１２が選択したスクランブルパタンを用いて送信信号に対するスクランブル処理を行う。
【００５５】
これにより、通信装置１０は、スクランブルパタンの選択にてＡＴＰＣ情報を通知することができる。従って、通信装置１０は、対向装置（送信電力制御の対象となる信号を送信する側の装置）における送信電力の要求を通知するための領域を、通信装置１０が送信する信号に含める必要がない。
【００５６】
図６は、送信電力制御の対象となる通信信号の送信側の通信装置における機能構成を示す概略ブロック図である。同図において、通信装置１１は、スクランブルパタン記憶部２１１と、デスクランブル部２２２と、送信電力設定部２３１とを具備する。同図において図１の各部に対応して同様の機能を有する部分には、同一の符号（２１１、２２２、２３１）を付している。
【００５７】
かかる構成にて、スクランブルパタン記憶部２１１は、信号送信電力の大きさについての要求の種類毎に予め定められたスクランブルパタンを記憶する。そして、デスクランブル部２２２は、スクランブルパタン記憶部２１１が記憶するスクランブルパタンを用いて受信信号に対するデスクランブル処理を行って、当該信号のスクランブル処理に用いられたスクランブルパタンを検出する。そして、送信電力設定部２３１は、デスクランブル部２２２が検出したスクランブルパタンに対応付けられた、信号送信電力の大きさについての要求の種類に基づいて、通信装置２０への信号送信電力を設定する。
【００５８】
これにより、通信装置２０は、受信した信号に適用されているスクランブルパタンにてＡＴＰＣ情報を検出することができる。従って、対向装置（ＡＴＰＣ情報の送信側の装置）は、通信装置２０の送信電力の要求を通知するための領域を、対向装置からの送信信号に含める必要がない。
【００５９】
図７は、通信システムにおける機能構成を示す概略ブロック図である。同図において、通信システム２は、第１通信装置１１と、第２通信装置２１とを具備する。第１通信装置１１は、スクランブルパタン記憶部１１１と、スクランブルパタン選択部１１２と、スクランブル部１２２とを具備する。第２通信装置２１は、スクランブルパタン記憶部２１１と、デスクランブル部２２２と、送信電力設定部２３１とを具備する。同図において図１の各部に対応して同様の機能を有する部分には、同一の符号（１１１、１１２、１２２、２１１、２２２、２３１）を付している。
【００６０】
かかる構成にて、スクランブルパタン記憶部１１１は、信号送信電力の大きさについての要求の種類毎に予め定められたスクランブルパタンを記憶する。そして、スクランブルパタン選択部１１２は、スクランブルパタン記憶部１１１が記憶するスクランブルパタンのいずれかを、送信電力制御の対象である受信信号の受信品質に基づいて選択する。そして、スクランブル部１２２は、スクランブルパタン選択部１１２が選択したスクランブルパタンを用いて送信信号に対するスクランブル処理を行う。
【００６１】
また、スクランブルパタン記憶部２１１は、信号送信電力の大きさについての要求の種類毎に予め定められたスクランブルパタンを記憶する。そして、デスクランブル部２２２は、スクランブルパタン記憶部２１１が記憶するスクランブルパタンを用いて受信信号に対するデスクランブル処理を行って、当該信号のスクランブル処理に用いられたスクランブルパタンを検出する。そして、送信電力設定部２３１は、デスクランブル部２２２が検出したスクランブルパタンに対応付けられた、信号送信電力の大きさについての要求の種類に基づいて、第２通信装置２１からの信号送信電力を設定する。
【００６２】
これにより、第１通信装置１１は、スクランブルパタンの選択にて、第２通信装置２１に対してＡＴＰＣ情報を通知することができる。従って、第１通信装置１１は、第２通信装置２１の送信電力に対する要求を通知するための領域を、第１通信装置１１が送信する信号に含める必要がない。そして、送信電力制御により、第１通信装置１１において所望の通信品質を得つつ、第２通信装置２１において送信電力を制御して消費電力を抑制することができる。
【００６３】
図８は、スクランブルパタン選択装置における機能構成を示す概略ブロック図である。同図において、スクランブルパタン選択装置１２は、スクランブルパタン選択部１１２を具備する。同図において図１の各部に対応して同様の機能を有する部分には、同一の符号（１１２）を付している。
かかる構成にて、スクランブルパタン選択部１１２は、信号送信電力の大きさについての要求の種類毎に予め定められたスクランブルパタンのいずれかを、送信電力制御の対象である受信信号の受信品質に基づいて選択する。
【００６４】
これにより、スクランブルパタン選択装置１２を具備する通信装置は、スクランブルパタンの選択にて、ＡＴＰＣ情報を通知することができる。従って、当該通信装置は、対向装置（送信電力制御の対象となる信号を送信する側の装置）における送信電力の要求を通知するための領域を、自らが送信する信号に含める必要がない。
【００６５】
図９は、送信電力設定装置における機能構成を示す概略ブロック図である。同図において、送信電力設定装置２２は、デスクランブル部２２２と、送信電力設定部２３１とを具備する。同図において図１の各部に対応して同様の機能を有する部分には、同一の符号（２２２、２３１）を付している。
【００６６】
かかる構成にて、デスクランブル部２２２は、信号送信電力の大きさについての要求の種類毎に予め定められたスクランブルパタンを用いて受信信号に対するデスクランブル処理を行って、当該信号のスクランブル処理に用いられたスクランブルパタンを検出する。そして、送信電力設定部２３１は、デスクランブル部２２２が検出したスクランブルパタンに対応付けられた、信号送信電力の大きさについての要求の種類に基づいて、対向装置（ＡＴＰＣ情報の送信側の装置）への信号送信電力を設定する。
【００６７】
これにより、送信電力設定装置２２を具備する通信装置は、受信した信号に適用されているスクランブルパタンにてＡＴＰＣ情報を検出することができる。従って、対向装置（ＡＴＰＣ情報の送信側の装置）は、送信電力設定装置２２を具備する通信装置の送信電力に対する要求を通知するための領域を、対向装置からの送信信号に含める必要がない。
【００６８】
なお、スクランブルパタン選択部１１２や、スクランブル部１２２や、デスクランブル部２２２や、送信電力設定部２３１の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００６９】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００７０】
１、２  通信システム
１０、１１、２０、２１、１００  通信装置
２１  スクランブルパタン選択装置
２２  送信電力設定装置
１１０  判定側屋内装置
１１１、２１１  スクランブルパタン記憶部
１１２  スクランブルパタン選択部
１２１、２５１  無線フレーム生成部
１２２、２５２  スクランブル部
１２３、２５３  変調部
１５１、２２１  復調部
１５２、２２２  デスクランブル部
１５３、２２３  無線フレーム抽出部
１９０  判定側屋外装置
２９０  制御側屋外装置
【図１】
2015080014.tif 000003
【図２】
2015080014.tif 000004
【図３】
2015080014.tif 000005
【図４】
2015080014.tif 000006
【図５】
2015080014.tif 000007
【図６】
2015080014.tif 000008
【図７】
2015080014.tif 000009
【図８】
2015080014.tif 000010
【図９】
2015080014.tif 000011